(57)【要約】【課題】ＯＣＲにより読取処理する情報を最小限にして、オペレータによるマニュアル作業を軽減させて、正確でかつ効率的な帳票処理システムを提供することにある。【解決手段】ＯＣＲを利用した帳票処理システムにおいて、帳票毎に例えば登録振込処理である所定の情報処理を実行するために必要な管理情報を保存しているファイル装置１２と、処理対象の帳票を発行するときに管理情報に付加する第１の帳票識別データと帳票の所定の位置に記録する第２の帳票識別データ１０Ａとを出力し、第２の帳票識別データ１０Ａに対応する第１の帳票識別データが付加された管理情報をファイル装置１２から抽出するホストコンピュータ１１とを備えたシステムである。【選択図】      図１
2004158030.tif 000002
【特許請求の範囲】
【請求項１】
発行した帳票上の各項目に記入された項目情報を光学的文字読取手段により読取入力して、所定の情報処理を実行する帳票処理システムであって、
帳票毎に前記所定の情報処理を実行するために必要な管理情報を含むファイルを保存しているファイル格納手段と、
処理対象の帳票を発行するときに、前記帳票毎の管理情報に付加する第１の帳票識別データを前記ファイル格納手段にセットし、前記第１の帳票識別データに対応する第２の帳票識別データを前記帳票の所定の位置に記録する識別データ出力手段と、
前記発行した帳票上に記録された前記第２の帳票識別データを前記光学的文字読取手段により読取入力して、前記第２の帳票識別データに対応する前記第１の帳票識別データが付加された管理情報を前記ファイル格納手段から抽出する抽出手段と、
前記光学的文字読取手段により前記第２の帳票識別データ以外の前記発行した帳票上に記入された前記各項目情報を読取入力し、前記各項目情報及び前記抽出手段から得られた前記管理情報に基づいて所定の情報処理を実行する情報処理手段とを具備したことを特徴とする帳票処理システム。
【請求項２】
前記第１の帳票識別データと前記第２の帳票識別データとは同一データとして、発行した帳票を特定するための帳票コード及び発行日を特定するための発行日データを含むことを特徴とする請求項１記載の帳票処理システム。
【請求項３】
前記管理情報は、前記発行した帳票の発行先を特定するための特定情報及び前記各項目情報に基づいて所定の情報処理を行なう場合に予め設定された固定的情報を含むことを特徴とする請求項１記載の帳票処理システム。
【請求項４】
発行した帳票上の金融取引に関係する各項目に、依頼人により記入された項目情報を光学的文字読取手段により読取入力して、所定の情報処理による金融取引処理を行なう金融機関に適用する帳票処理システムであって、
前記依頼人を特定するための依頼人コード及び金融取引に必要な固定的情報を含み、帳票毎に所定の情報処理を実行するために必要な管理情報からなるファイルを保存しているファイル格納手段と、
処理対象の帳票を発行するときに、前記帳票毎の管理情報に付加する第１の帳票識別データ及び前記第１の帳票識別データに対応する第２の帳票識別データを作成し、前記第１の帳票識別データと前記第２の帳票識別データには同一データとして発行した帳票を特定するための帳票コード及び発行年月日を特定するための発行日データを含み、前記第１の帳票識別データを前記ファイル格納手段にセットし、前記第２の帳票識別データを前記帳票の所定の位置に記録する識別データ出力手段と、
前記発行した帳票であって前記依頼人により項目情報を記入された帳票上に記録された前記第２の帳票識別データ及び前記項目情報を前記光学的文字読取手段により読取入力する入力手段と、
前記入力手段により読取入力された前記第２の帳票識別データを使用して、前記第２の帳票識別データに対応する前記第１の帳票識別データが付加された管理情報を前記ファイル格納手段から抽出する抽出手段と、
前記抽出手段により抽出された前記管理情報及び前記入力手段により読取入力された前記項目情報に基づいて所定の情報処理による金融取引処理を実行する情報処理手段とを具備したことを特徴とする帳票処理システム。
【請求項５】
発行した帳票上の各項目に記入された項目情報を光学的文字読取手段により読取入力して、所定の情報処理を実行する帳票処理システムに適用する帳票処理方法であって、
前記帳票処理システムは帳票毎に前記所定の情報処理を実行するために必要な管理情報を含むファイルを保存しているファイル格納手段を有し、
処理対象の帳票を発行するときに、前記帳票に対応する管理情報に前記帳票を識別するための第１の帳票識別データをセットする処理と、
前記第１の帳票識別データに対応して前記帳票を識別するための同一データを含む第２の帳票識別データを前記帳票の所定の位置に記録する処理と、
前記第２の帳票識別データを記録した帳票を発行先に送出する処理と、
発行先により前記項目情報が記入された帳票を受取り、前記第２の帳票識別データを前記光学的文字読取手段により読取入力する処理と、
前記第２の帳票識別データに対応する前記第１の帳票識別データが付加された管理情報を前記ファイル格納手段から抽出する処理と、
前記光学的文字読取手段により前記帳票上に記入された前記項目情報を読取入力する処理と、
読取入力した前記項目情報及び前記管理情報に基づいて所定の情報処理を実行する処理とからなることを特徴とする帳票処理方法。
【発明の詳細な説明】
【技術分野】
【０００１】
本発明は、例えばファームバンキングなどのシステムに適用し、特にＯＣＲを利用した帳票処理を行なうための帳票処理システムに関する。
【背景技術】
【０００２】
従来、例えば銀行等の金融機関では、ファームバンキングと称するコンピュータを利用した金融サービスシステムが実用化されている。この金融サービスシステムの一種として、例えば登録振込処理方式と称するシステムがある。登録振込処理方式とは、企業などが多数の従業員に給与振込を行なう場合に利用する方式であり、銀行に登録した振込情報（依頼人コード、受取人コード、口座番号など）に基づいて、指定した受取人の口座に給与を振込むサービス方式である。
【０００３】
登録振込処理システムは、ホストコンピュータと、登録振込処理に必要な振込情報からなるマスタファイルを格納したファイル装置と、光学的文字読取装置（ＯＣＲ）と、プリンタと、ファクシミリ装置（ＦＡＸ）とからなる。金融機関では、ホストコンピュータはファイル装置のマスタファイルから振込情報を取出して、所定の帳票用紙上にプリンタにより印字して振込み処理用の帳票を作成する。この作成した帳票は、郵便などにより振込依頼人（企業など）に配達される。
【０００４】
一方、振込依頼人側では、金融機関から配達された帳票上の項目に、振込処理に必要な事項を記入して、通常ではＦＡＸにより金融機関のＦＡＸに送信する。帳票上の項目には、例えば従業員の氏名、口座番号（銀行名、支店名なども含む）、振込金額などがある。
【０００５】
金融機関では、ＦＡＸにより受信した帳票をＯＣＲにより読取処理して、ホストコンピュータに入力できるようにコードデータに変換する。ホストコンピュータは、入力された帳票の各項目情報に基づいて、所定の振込処理を実行することになる。
【発明の開示】
【発明が解決しようとする課題】
【０００６】
前述したように、ＯＣＲを利用した例えば登録振込処理システムである金融サービスシステムにより、例えば企業などが多数の従業員に給与を振込むなどの処理を効率的に行なうことができる。しかしながら、前述のような従来のシステムでは、帳票に記入された各項目情報をＯＣＲにより読取処理するときに、全項目情報を正確に認識したコードデータに変換する（クリーンデータ化）ために、オペレータの多大なマニュアル作業が必要となる。
【０００７】
具体的には、コンピュータの表示画面上でＯＣＲの認識結果を確認して、リジェクトされた文字に対する正しい文字データを入力するなどの作業である。また、マスタファイルから取り出した振込み情報をプリンタにより印字するとき、さらに作成した帳票を郵便により依頼人に発送するときにもオペレータの多大なマニュアル作業が必要となる。
【０００８】
そこで、本発明の目的は、ＯＣＲにより読取処理する情報を最小限にして、オペレータによるマニュアル作業を軽減させて、正確でかつ効率的な帳票処理システムを提供することにある。
【課題を解決するための手段】
【０００９】
本発明の観点は、発行した帳票上の各項目に記入された項目情報を光学的文字読取手段（ＯＣＲ）により読取入力して、所定の情報処理を実行する帳票処理システムにおいて、帳票毎に例えば金融機関における登録振込処理である所定の情報処理を実行するために必要な管理情報を保存しているファイル格納手段と、処理対象の帳票を発行するときに管理情報に付加する第１の帳票識別データと帳票の所定の位置に記録する第２の帳票識別データとを出力する識別データ出力手段と、第２の帳票識別データに対応する第１の帳票識別データが付加された管理情報をファイル格納手段から抽出する抽出手段と、帳票上に記入された各項目情報及び管理情報に基づいて所定の情報処理を実行する情報処理手段とを備えたシステムである。
【００１０】
第１の帳票識別データと第２の帳票識別データは相互に対応しており、同一データとして、例えば発行した帳票を特定するための帳票コード及び発行日を特定するための発行日データを含む。抽出手段は、発行した帳票上に記録された第２の帳票識別データをＯＣＲにより読取入力して、第２の帳票識別データに対応する第１の帳票識別データが付加された管理情報を抽出する。
【００１１】
このようなシステムにより、例えば金融機関は前記の帳票を企業などの依頼人に送付し、依頼人から帳票上の各項目に記入された後にＯＣＲによる読取処理を行なう。ＯＣＲでは、帳票上の第２の帳票識別データ及び依頼人により記入された項目情報が読取入力される。この第２の帳票識別データにより、帳票に対応する第１の帳票識別データが付加された管理情報がファイル格納手段から抽出される。情報処理手段は、この管理情報とＯＣＲにより読取入力された項目情報とに基づいて、例えば依頼人が指定した振込先に指定の金額を振込むなどの処理を実行する。ここで、管理情報は例えば依頼人が指定した振込先などが含まれており、ＯＣＲによる第２の帳票識別データの読取入力に基づいて求められる。換言すれば、ＯＣＲにより読取入力処理の必要は、第２の帳票識別データと依頼人が記入すべき振込金額などの指定の項目情報のみとなる。従って、ＯＣＲにより読取処理する情報を最小限にすることが可能となり、結果的にオペレータによるマニュアル作業を軽減させることができる。
【発明の効果】
【００１２】
本発明によれば、ＯＣＲを利用した帳票処理システムにおいて、帳票識別データを使用することにより、予め保存した管理情報をＯＣＲの読取処理を要することなく使用できるため、ＯＣＲによる読取処理の必要な帳票上の情報を最小限にすることが可能となる。従って、ＯＣＲの読取処理において、オペレータによる補正処理などのマニュアル作業を大幅に軽減させることができる。これにより、ＯＣＲによる読取誤動作を減少させて、かつオペレータによるマニュアル作業の軽減化により、結果的に正確でかつ効率的な帳票処理システムを提供することが可能となる。
【発明を実施するための最良の形態】
【００１３】
以下図面を参照して、本発明の実施形態を説明する。
【００１４】
図１は第１の実施形態に関係するシステム構成を示すブロック図であり、図２は同実施形態に関係する帳票フォーマットを示す図であり、図３は同実施形態に関係するファイル情報の一例を示す図であり、図４は同実施形態の動作を説明するためのフローチャートである。
【００１５】
（システム構成）
本実施形態のシステムは、図１に示すように、金融機関システム１と企業などの依頼人システム２との間で帳票１０を交換して、この帳票を介して登録振込処理を実行するための金融サービスシステムを想定する。金融機関システム１は、ホストコンピュータ１１と、ファイル装置１２と、光学的文字読取装置（ＯＣＲ）１３と、プリンタ１４と、ファクシミリ装置（ＦＡＸ）１５とを有する。
【００１６】
ホストコンピュータ１１はシステム全体の制御装置であり、本実施形態が想定する登録振込処理を実行する。ファイル装置１２は例えばハードディスク装置等の外部記憶装置であり、本実施形態の登録振込処理に必要なマスタファイル情報（具体的には図３に示す振込情報）を格納している。ＯＣＲ１３は帳票１０に記録（記入）された文字情報を読取処理し、文字情報をコード化データに変換してホストコンピュータ１１に入力する。プリンタ１４は、ホストコンピュータ１１の制御により、発行対象の帳票を印刷して作成するための印刷装置である。ＦＡＸ１５は、本実施形態では依頼人システム２のＦＡＸ２０により送信された帳票イメージ情報を受信し、用紙上に出力するために使用される。
【００１７】
依頼人システム２は、金融機関システム１から送付された帳票１０を受取り、この帳票１０上の項目毎に必要事項を記入（記録）するための装置（具体的にはコンピュータなど）及び帳票１０上の情報を送信するためのＦＡＸ２０を有する。なお、本実施形態では、依頼人システム２として、ＦＡＸ２０以外はコンピュータなども使用せずに、オペレータが帳票１０上に必要事項を記入してＦＡＸ２０を送信する方式でも差支えない。
【００１８】
（帳票及びマスタファイル情報）
本実施形態の帳票１０のフォーマットは、図２に示すように、所定の位置に帳票識別データ（第２の帳票識別データ、以下帳票ＩＤデータと称する）１０Ａが記録されたエリア、および登録振込処理に必要な事項を記入すべき各種の項目エリア１０Ｂを有する。帳票ＩＤデータ１０Ａは、具体的には「依頼人コード」、「印字年月日（発行年月日）」、「帳票番号」からなる。本実施形態では、ホストコンピュータ１１は、帳票１０の発行時に帳票ＩＤデータ１０Ａを作成して、プリンタ１４により帳票１０上の所定位置に印字するように制御する。
【００１９】
項目エリア１０Ｂには、後述するように、登録振込処理に必要な項目が印字される。各項目は、図３に示す振込情報である管理情報３０に対応する項目であり、「受取人コード」、「銀行名」、「支店名」、「口座番号」などの他に、依頼人が記入すべき「振込金額」などの項目からなる。
【００２０】
ファイル装置１２に格納されているマスタファイル情報として、図３に示すように、帳票毎に登録振込処理に必要な管理情報３０が保存されている。管理情報３０は、「依頼人コード」、金融機関である銀行に関係する「支店名」、「支店コード」、「口座番号」が含まれており、さらに振込先である「受取人コード」、「銀行名」、「支店名」、「口座番号」などが含まれている。さらに、本実施形態では、ホストコンピュータ１１は帳票１０の発行時に、その帳票１０に該当する管理情報３０に帳票識別データ（第１の帳票識別データ、以下出力帳票ＩＤデータと称する）３０Ａを付加する。この出力帳票ＩＤデータ３０Ａは、「印字年月日（発行年月日）」、「帳票番号」、「帳票内明細番号」からなる。
【００２１】
（第１の実施形態の動作）
以下図４のフローチャートを参照して本実施形態の動作を説明する。
【００２２】
本実施形態では、金融機関（ここでは銀行）システム１は、予め登録振込処理の契約をした企業などの依頼人（ここでは依頼人システム２と称する）に対して、所定のフォーマットの帳票１０を郵便などにより送付し、依頼人システム２により使用事項が記入された帳票１０をＦＡＸ１５で受信する。そして、受信した帳票１０に記入された項目情報と、ファイル装置１２に格納されている管理情報３０とに基づいて登録振込処理を実行する。
【００２３】
ここで、登録振込処理とは、予め依頼人が振込先である受取人やその銀行口座などの情報（管理情報３０）を登録し、金融機関が帳票により依頼人から指定された金額を指定された受取人の銀行口座に振込む処理である。具体的には、企業などが多数の従業人に給与振込を行なう場合などに使用される処理方式である。
【００２４】
まず、システム１のホストコンピュータ１１は、依頼人からの要求に応じて登録振込処理に必要な帳票１０の発行処理を行なう。このとき、ホストコンピュータ１１は、発行対象の帳票１０に対応する帳票ＩＤデータ１０Ａと出力帳票ＩＤデータ３０Ａとを作成し、出力帳票ＩＤデータ３０Ａをマスタファイル情報のレコードに相当する管理情報３０に付加する（ステップＳ１）。さらに、ホストコンピュータ１１はプリンタ１４を制御して、帳票ＩＤデータ１０Ａ及び登録振込処理に必要な事項を記入すべき各種の項目を印字した帳票１０を作成する（ステップＳ２）。ここで、「依頼人コード」、「支店名」、「支店コード」、「口座番号」、「受取人コード」、「銀行名」、「支店名」、「口座番号」などは、管理情報３０から取り出して、帳票１０の所定の位置に印字する。
【００２５】
金融機関側のオペレータは、作成した帳票１０を郵便などにより依頼人システム２に送付する（ステップＳ３）。依頼人システム２側では、帳票１０上の各種の項目に、必要事項を記入する（ステップＳ４）。具体的には、「受取人コード」毎に振込金額や、受取人の「銀行名」、「支店名」、「口座番号」の変更があればそれに該当する事項や、また新規に追加された受取人がいればそれに該当する事項が記入される。
【００２６】
依頼人システム２は、ＦＡＸ２０により必要事項を記入した帳票１０を金融機関システム１のＦＡＸ１５に送信する（ステップＳ５）。ここで、依頼人は、郵便などにより必要事項を記入した帳票１０を金融機関システム１に送付してもよい。金融機関システム１は、ＦＡＸ１５により帳票１０の受信を完了すると、ＦＡＸ１５により出力された帳票１０に対して、ＯＣＲ１３により読取処理を実行する（ステップＳ６，Ｓ７）。
【００２７】
ホストコンピュータ１１は、ＯＣＲ１３により読取処理された帳票ＩＤデータ１０Ａを入力し、この帳票ＩＤデータ１０Ａに対応する出力帳票ＩＤデータ３０Ａが付加されたレコードである管理情報３０を、マスタファイル情報から抽出する（ステップＳ８）。即ち、図２及び図３に示すように、帳票ＩＤデータ１０Ａと出力帳票ＩＤデータ３０Ａには、「印字年月日（発行年月日）」と「帳票番号」の同一データが含まれている。ホストコンピュータ１１は、帳票ＩＤデータ１０Ａと出力帳票ＩＤデータ３０Ａの同一データにより、ＯＣＲ１３により読取処理された帳票１０に対応する「依頼人コード」の管理情報３０を取り出す。
【００２８】
さらに、ＯＣＲ１３では、帳票１０に対して帳票ＩＤデータ１０Ａ以外に、依頼人側で記入された各項目情報（記入情報）の読取入力が実行される（ステップＳ９）。ここで、記入情報の読取入力では、オペレータによる通常の読取処理に対する補正処理が実行される（ステップＳ１０，Ｓ１１）。即ち、具体的には、コンピュータ１１の表示画面上でＯＣＲ１３の認識結果を確認して、リジェクトされた文字に対する正しい文字データを入力するなどの作業である。
【００２９】
ホストコンピュータ１１は、帳票１０に記入された記入情報の全ての情報を入力すると、マスタファイル情報から抽出した管理情報３０に基づいて登録振込処理を実行する（ステップＳ１２）。即ち、「依頼人コード」に対応する「支店名」の「口座番号」から、帳票１０上の「受取人コード」毎に記入された振込金額を、受取人の銀行の支店の口座番号に振込む処理を実行する。ホストコンピュータ１１は、登録振込処理が終了すると、帳票ＩＤデータ１０Ａと出力帳票ＩＤデータ３０Ａとを初期化して、次の帳票に対する登録振込処理を実行する（ステップＳ１３）。即ち、帳票ＩＤデータ１０Ａと出力帳票ＩＤデータ３０Ａの初期化処理により、同一帳票１０に対する２重処理を防止することができる。
【００３０】
以上のように本実施形態によれば、帳票１０を発行するときに、予めマスタファイル情報として登録した管理情報３０を抽出するための帳票ＩＤデータ１０Ａと出力帳票ＩＤデータ３０Ａを作成することにより、依頼人から送信された帳票１０からＯＣＲ１３により読取入力した帳票ＩＤデータ１０Ａにより管理情報３０を抽出することができる。金融機関システム１では、依頼人から送信された帳票１０に対して、帳票ＩＤデータ１０Ａ以外では依頼人が記入した記入情報のみを読取入力すればよい。換言すれば、予めマスタファイル情報として登録した管理情報３０については、ＯＣＲ１３により読取入力する必要はなく、ホストコンピュータ１１はマスタファイル情報から管理情報３０を得ることができる。
【００３１】
従って、ＯＣＲ１３では、帳票ＩＤデータ１０Ａおよび依頼人が記入した記入情報のみの読取処理が実行されるだけである。帳票ＩＤデータ１０Ａは、限定された範囲の文字情報（全て数字のみからなる）からなるため、通常ではオペレータによる補正処理を要することなく、読取入力が可能である。オペレータは、依頼人が記入した記入情報のみに対して補正処理を実行するだけでよい。これにより、従来方式と比較して、ＯＣＲ１３におけるオペレータのマニュアル作業（読取処理における補正処理）を大幅に削減して、かつ登録振込処理に必要な管理情報３０を確実に得ることができる。
【００３２】
（第２の実施形態）
第２の実施形態は、金融機関システム１が帳票１０を発行して依頼人システム２側に送付する処理において、プリンタにより用紙上に印刷して帳票１０を発行する方式に対して、帳票をイメージデータ化して、ＦＡＸ１５により依頼人システム２側に送信する方式である。
【００３３】
本実施形態の金融機関システム１は、図５に示すように、ホストコンピュータ１１がファイル装置１２に格納したマスタファイル情報から、発行対象の帳票に記録すべき振込情報（図３に示す管理情報３０）を取出して、イメージデータに変換して帳票イメージデータを作成し、ＦＡＸ１５により依頼人システム２側のＦＡＸ２０に送信する。
【００３４】
依頼人システム２では、ＦＡＸ２０により受信した帳票イメージデータを用紙上に出力し、この出力された帳票２１に対して必要事項を記入した後にＦＡＸ２０により金融機関システム１のＦＡＸ１５に送信する。金融機関システム１では、ＦＡＸ１５により受信した帳票イメージデータを用紙上に出力して、ＯＣＲ１３により読取処理を実行する。または、ホストコンピュータ１１は文字認識処理を実行するソフトウェアを有する場合には、ＦＡＸ１５から帳票イメージデータを入力してＯＣＲ１３と同様の文字認識処理を実行してもよい。
【００３５】
（第２の実施形態の作用効果）
以下図６、図７および図８のフローチャートを参照して、本実施形態の作用効果を説明する。
【００３６】
本実施形態は、予め金融機関と契約した依頼人との間で帳票を交換して登録振込処理を行なう場合を想定するが、用紙上の帳票ではなく帳票イメージデータを交換するシステムを想定する。
【００３７】
まず、ホストコンピュータ１１は、依頼人からの要求に応じて登録振込処理に必要な帳票の発行処理を行なう。ホストコンピュータ１１は、図６（Ａ）に示すように、マスタファイル情報６０から帳票上の項目情報（図３の管理情報３０である振込情報）を抽出する（ステップＳ２０）。ここでは、項目情報を便宜的に「ＡＢＣＤＥＦＧ」とする。次に、ホストコンピュータ１１は、図６（Ｂ）に示すように、予め用意したフォントテーブル６１から項目情報の各文字（数字も含む）に対応するイメージデータ（文字フォントデータ）を検索して、同図（Ｃ）に示すように展開する（ステップＳ２１）。ホストコンピュータ１１は、発行対象の帳票に必要な全項目についてイメージデータを作成する（ステップＳ２２のＹＥＳ）。
【００３８】
さらに、ホストコンピュータ１１は、図７（Ａ）に示すように、予め用意した帳票ベースデータ（帳票の枠からなるイメージデータ）７０を取出して、図７（Ａ）に示す作成した各項目毎のイメージデータ７１とを合成して、同図（Ｃ）に示すように、帳票イメージデータを作成する（ステップＳ２３）。ここでは、便宜的に、各項目毎のイメージデータを「９９」、「９９９」、「ＸＸ」、「ＸＸＸ」として示している。
【００３９】
ホストコンピュータ１１は、ＦＡＸ１５により作成した帳票イメージデータを、依頼人システム２側のＦＡＸ２０に送信する（ステップＳ２４）。依頼人システム２では、ＦＡＸ２０で受信した帳票イメージデータを用紙上に出力して、この出力された帳票上の各項目に必要事項を記入する（ステップＳ２５）。このとき、依頼人システム２側では、必ずしも帳票イメージデータを用紙上に出力する必要はなく、ＦＡＸ２０からコンピュータに入力して画面上に表示した帳票イメージデータに必要事項を入力してもよい。
【００４０】
依頼人システム２は、必要事項を記入した帳票（用紙）２１または必要事項を入力した帳票イメージデータをＦＡＸ２０から金融機関システム１のＦＡＸ１５に送信する（ステップＳ２６）。金融機関システム１は、ＦＡＸ１５により受信が完了すると、依頼人システム２側で記入された記入情報などをコード情報（文字コード）に変換して入力する（ステップＳ２８）。この場合、金融機関システム１では、ＦＡＸ１５により受信した帳票イメージデータを用紙上に出力して、ＯＣＲ１３による読取入力を実行する。または、ホストコンピュータ１１は文字認識処理を実行するソフトウェアを有する場合には、ＦＡＸ１５から帳票イメージデータを入力してＯＣＲ１３と同様の文字認識処理を実行してもよい。ホストコンピュータ１１は、入力した帳票上のデータに基づいて登録振込処理を実行する。
【００４１】
以上のように本実施形態によれば、金融機関システム１は発行対象の帳票を帳票イメージデータで作成し、ＦＡＸ１５を利用して依頼人側に送信する。また、金融機関システム１は依頼人側から送信された帳票イメージデータ（必要事項が記入されたデータ）をＦＡＸ１５で受信し、この帳票イメージデータをコード情報に変換して入力する。従って、従来では金融機関システム１側において、帳票を発行するときにプリンタにより印刷したり、また印刷作成した帳票を郵便などにより送付するようなオペレータのマニュアル作業が必要であった。本実施形態では、それらのオペレータのマニュアル作業を削減して、ホストコンピュータ１１が帳票イメージデータとして帳票を発行し、ＦＡＸ１５を使用して自動的に依頼人に対して送信することができる。従って、帳票の発行時に必要であったオペレータのマニュアル作業を削減することが可能となり、正確でかつ効率的な帳票処理システムを構築することができる。なお、本実施形態においても、前述の第１の実施形態と同様に、帳票イメージデータに帳票ＩＤデータ１０Ａを含ませることにより、マスタファイル情報から振込情報である管理情報を抽出して、登録振込処理に使用することができる。
【図面の簡単な説明】
【００４２】
【図１】本発明の第１の実施形態に関係するシステム構成を示すブロック図。
【図２】同実施形態に関係する帳票フォーマットを示す図。
【図３】同実施形態に関係するファイル情報の一例を示す図。
【図４】同実施形態の動作を説明するためのフローチャート。
【図５】本発明の第２の実施形態に関係するシステム構成を示すブロック図。
【図６】第２の実施形態の帳票イメージデータの作成処理を説明するための図。
【図７】第２の実施形態の帳票イメージデータの作成処理を説明するための図。
【図８】第２の実施形態の動作を説明するためのフローチャート。
【符号の説明】
【００４３】
１…金融機関システム（帳票処理システム）、２…依頼人システム、１０…帳票、
１１…ホストコンピュータ（情報処理手段）、１２…ファイル装置（ファイル格納手段）、
１３…ＯＣＲ（光学的文字読取手段）、１４…プリンタ、
１５，２０…ファクシミリ装置（ＦＡＸ）。
【図１】
2004158030.tif 000003
【図２】
2004158030.tif 000004
【図３】
2004158030.tif 000005
【図４】
2004158030.tif 000006
【図５】
2004158030.tif 000007
【図６】
2004158030.tif 000008
【図７】
2004158030.tif 000009
【図８】
2004158030.tif 000010